【手続補正書】
【提出日】平成17年1月7日(2005.1.7)
【手続補正１】
【補正対象書類名】明細書
【補正対象項目名】発明の名称
【補正方法】変更
【補正の内容】
【発明の名称】情報処理装置および方法、情報処理システム、並びに記録媒体
【手続補正２】
【補正対象書類名】明細書
【補正対象項目名】特許請求の範囲
【補正方法】変更
【補正の内容】
【特許請求の範囲】
【請求項１】
所定の伝送路を介して接続されている他の情報処理装置に暗号化データを伝送する情報処理装置において、
前記伝送路を介して前記暗号化データの送信を要求する前記他の情報処理装置の認証を行い、前記他の情報処理装置の識別番号である第１の識別番号を取得する認証手段と、
前記認証手段による認証が成功した前記他の情報処理装置の前記第１の識別番号を識別番号テーブルとして記憶する記憶手段と、
前記他の情報処理装置を含むデータ送受信装置のうちの、秘密裡に保管しておくべき情報である第１の情報が露呈されたデータ送受信装置の識別番号である第２の識別番号が記された第１のリストを受信する受信手段と、
前記受信手段により受信された前記第１のリストに記されている前記第２の識別番号と、前記記憶手段により記憶された前記識別番号テーブル中の前記第１の識別番号とを比較する比較手段と、
前記比較手段による比較結果に対応して、前記暗号化データを、前記伝送路を介して前記他の情報処理装置に伝送する伝送手段と
を備え、
前記比較手段による比較の結果、前記第１のリスト中の前記第２の識別番号と合致する前記第１の識別番号が前記識別番号テーブルに存在した場合、前記第２の識別番号と合致する前記第１の識別番号に関する情報である第２の情報を前記記憶手段に記憶し、前記第２の情報を、前記伝送路を介して前記他の情報処理装置に伝送する
ことを特徴とする情報処理装置。
【請求項２】
前記第１の情報は、暗号化されているデータを復号するための鍵である
ことを特徴とする請求項１に記載の情報処理装置。
【請求項３】
前記第１のリストには、前記第１のリストを作成した装置の署名が与えられており、前記第１のリストに付加されている前記署名を用いて、前記第１のリストが正規のものであるか否かを検証する検証手段をさらに備える
ことを特徴とする請求項１に記載の情報処理装置。
【請求項４】
前記比較手段による比較の結果、前記第１のリスト中の前記第２の識別番号と合致する前記第１の識別番号が前記識別番号テーブル中に存在した場合、前記識別番号テーブル中の、前記第２の識別番号と合致する前記第１の識別番号にフラグを付加する付加手段をさらに備え、
前記付加手段により付加されたフラグを、前記第２の情報として前記記憶手段に記憶する
ことを特徴とする請求項１に記載の情報処理装置。
【請求項５】
前記伝送手段は、接続されている前記他の情報処理装置のうち、前記付加手段により前記フラグが付加された前記第１の識別番号に対応する前記データ送受信装置には、前記暗号化データまたは前記暗号化データを復号するための鍵を伝送しない
ことを特徴とする請求項４に記載の情報処理装置。
【請求項６】
前記伝送手段は、さらに、前記付加手段により前記フラグが付加された前記第１の識別番号を含む前記識別番号テーブルを、前記第２の情報として、前記他の情報処理装置に伝送する
ことを特徴とする請求項４に記載の情報処理装置。
【請求項７】
前記伝送路は、IEEE1394バスである
ことを特徴とする請求項１に記載の情報処理装置。
【請求項８】
前記受信手段により受信された前記第１のリストに記されている前記第２の識別番号の中から、前記識別番号テーブルに記されている前記第１の識別番号と合致する前記第２の識別番号を取り出すことにより、前記第１のリストとは異なる、前記伝送路に接続されている前記他の情報処理装置を対象とした、秘密裡に保管しておくべき前記第１の情報が露呈された前記他の情報処理装置の前記第２の識別番号が記された第２のリストを作成する作成手段をさらに備え、
前記作成手段により作成された前記第２のリストを、前記第２の情報として、前記他の情報処理装置に伝送する
ことを特徴とする請求項１に記載の情報処理装置。
【請求項９】
所定の伝送路を介して接続されている他の情報処理装置に暗号化データを伝送する情報処理装置における情報処理方法において、
前記伝送路を介して前記暗号化データの送信を要求する前記他の情報処理装置の認証を行い、前記他の情報処理装置の識別番号である第１の識別番号を取得する認証ステップと、
前記認証ステップの処理による認証が成功した前記他の情報処理装置の前記第１の識別番号を識別番号テーブルとして記憶する第１の記憶ステップと、
前記他の情報処理装置を含むデータ送受信装置のうちの、秘密裡に保管しておくべき情報である第１の情報が露呈されたデータ送受信装置の識別番号である第２の識別番号が記されたリストを受信する受信ステップと、
前記受信ステップの処理により受信された前記リストに記されている前記第２の識別番号と、前記第１の記憶ステップの処理により記憶された前記識別番号テーブル中の前記第１の識別番号とを比較する比較ステップと、
前記比較ステップの処理による比較結果に対応して、前記暗号化データを、前記伝送路を介して前記他の情報処理装置に伝送する第１の伝送ステップと、
前記比較ステップの処理による比較の結果、前記リスト中の前記第２の識別番号と合致する前記第１の識別番号が前記識別番号テーブルに存在した場合、前記第２の識別番号と合致する前記第１の識別番号に関する情報である第２の情報を記憶する第２の記憶ステップと、
前記第２の情報を、前記伝送路を介して前記他の情報処理装置に伝送する第２の伝送ステップと
を含むことを特徴とする情報処理方法。
【請求項１０】
所定の伝送路を介して接続されている他の情報処理装置に暗号化データを伝送する情報処理装置のコンピュータに、情報処理を実行させるプログラムにおいて、
前記伝送路を介して前記暗号化データの送信を要求する前記他の情報処理装置の認証を行い、前記他の情報処理装置の識別番号である第１の識別番号を取得する認証ステップと、
前記認証ステップの処理による認証が成功した前記他の情報処理装置の前記第１の識別番号の識別番号テーブルとしての記憶を制御する第１の記憶制御ステップと、
前記他の情報処理装置を含むデータ送受信装置のうちの、秘密裡に保管しておくべき情報である第１の情報が露呈されたデータ送受信装置の識別番号である第２の識別番号が記されたリストの受信を制御する受信制御ステップと、
前記受信制御ステップの処理により受信が制御された前記リストに記されている前記第２の識別番号と、前記第１の記憶制御ステップの処理により記憶が制御された前記識別番号テーブル中の前記第１の識別番号とを比較する比較ステップと、
前記比較ステップの処理による比較結果に対応して、前記暗号化データの、前記伝送路を介する前記他の情報処理装置への伝送を制御する第１の伝送制御ステップと、
前記比較ステップの処理による比較の結果、前記リスト中の前記第２の識別番号と合致する前記第１の識別番号が前記識別番号テーブルに存在した場合、前記第２の識別番号と合致する前記第１の識別番号に関する情報である第２の情報の記憶を制御する第２の記憶制御ステップと、
前記第２の情報の、前記伝送路を介する前記他の情報処理装置への伝送を制御する第２の伝送制御ステップと
を含むことを特徴とするコンピュータが読み取り可能なプログラムが記録されている記録媒体。
【請求項１１】
第１の情報処理装置乃至第３の情報処理装置により構成される情報処理システムにおいて、
前記第１の情報処理装置は、
秘密裡にしておくべき情報である第１の情報が露呈された情報処理装置の識別番号である第１の識別番号を示したリストを作成する作成手段と、
前記作成手段により作成された前記リストを前記第２の情報処理装置に提供する提供手段と
を備え、
前記第２の情報処理装置は、
所定の伝送路を介して暗号化データの送信を要求する前記第３の情報処理装置の認証を行い、前記第３の情報処理装置の識別番号である第２の識別番号を取得する認証手段と、
前記認証手段による認証が成功した前記第３の情報処理装置の前記第２の識別番号を識別番号テーブルとして記憶する記憶手段と、
前記第１の情報処理装置の前記提供手段により提供された前記リストを受信する受信手段と、
前記受信手段により受信された前記リストに示されている前記第１の識別番号と、前記記憶手段により記憶された前記識別番号テーブル中の前記第２の識別番号とを比較する比較手段と、
前記比較手段による比較結果に対応して、前記暗号化データを、前記伝送路を介して前記第３の情報処理装置に伝送する伝送手段と
を備え、
前記比較手段による比較の結果、前記リスト中の前記第１の識別番号と合致する前記第２の識別番号が前記識別番号テーブルに存在した場合、前記第１の識別番号と合致する前記第２の識別番号に関する情報である第２の情報を前記記憶手段に記憶し、前記第２の情報を、前記伝送路を介して前記第３の情報処理装置に伝送する
ことを特徴とする情報処理システム。
【請求項１２】
第１の情報処理装置乃至第３の情報処理装置により構成される情報処理システムにおける情報処理方法において、
前記第１の情報処理装置による情報処理方法は、
秘密裡にしておくべき情報である第１の情報が露呈された情報処理装置の識別番号である第１の識別番号を示したリストを作成する作成ステップと、
前記作成ステップの処理により作成された前記リストを前記第２の情報処理装置に提供する提供ステップと
を含み、
前記第２の情報処理装置による情報処理方法は、
所定の伝送路を介して暗号化データの送信を要求する前記第３の情報処理装置の認証を行い、前記第３の情報処理装置の識別番号である第２の識別番号を取得する認証ステップと、
前記認証ステップの処理による認証が成功した前記第３の情報処理装置の前記第２の識別番号を識別番号テーブルとして記憶する第１の記憶ステップと、
前記第１の情報処理装置の前記提供ステップの処理により提供された前記リストを受信する受信ステップと、
前記受信ステップの処理により受信された前記リストに示されている前記第１の識別番号と、前記第１の記憶ステップの処理により記憶された前記識別番号テーブル中の前記第２の識別番号とを比較する比較ステップと、
前記比較ステップの処理による比較結果に対応して、前記暗号化データを、前記伝送路を介して前記第３の情報処理装置に伝送する第１の伝送ステップと、
前記比較ステップの処理による比較の結果、前記リスト中の前記第１の識別番号と合致する前記第２の識別番号が前記識別番号テーブルに存在した場合、前記第１の識別番号と合致する前記第２の識別番号に関する情報である第２の情報を記憶する第２の記憶ステップと、
前記第２の情報を、前記伝送路を介して前記第３の情報処理装置に伝送する第２の伝送ステップと
を含むことを特徴とする情報処理方法。
【請求項１３】
第１の情報処理装置乃至第３の情報処理装置により構成される情報処理システムに用いられるコンピュータプログラムを記録する記録媒体において、
前記第１の情報処理装置のコンピュータに、
秘密裡にしておくべき情報である第１の情報が露呈された情報処理装置の識別番号である第１の識別番号を示したリストを作成する作成ステップと、
前記作成ステップの処理により作成された前記リストを前記第２の情報処理装置に提供する提供ステップと
を実行させ、
前記第２の情報処理装置のコンピュータに、
所定の伝送路を介して暗号化データの送信を要求する前記第３の情報処理装置の認証を行い、前記第３の情報処理装置の識別番号である第２の識別番号を取得する認証ステップと、
前記認証ステップの処理による認証が成功した前記第３の情報処理装置の前記第２の識別番号を識別番号テーブルとしての記憶を制御する第１の記憶制御ステップと、
前記第１の情報処理装置の前記提供ステップの処理により提供された前記リストの受信を制御する受信制御ステップと、
前記受信制御ステップの処理により受信が制御された前記リストに示されている前記第１の識別番号と、前記第１の記憶制御ステップの処理により記憶が制御された前記識別番号テーブル中の前記第２の識別番号とを比較する比較ステップと、
前記比較ステップの処理による比較結果に対応して、前記暗号化データの、前記伝送路を介する前記第３の情報処理装置への伝送を制御する第１の伝送制御ステップと、
前記比較ステップの処理による比較の結果、前記リスト中の前記第１の識別番号と合致する前記第２の識別番号が前記識別番号テーブルに存在した場合、前記第１の識別番号と合致する前記第２の識別番号に関する情報である第２の情報の記憶を制御する第２の記憶制御ステップと、
前記第２の情報の、前記伝送路を介する前記第３の情報処理装置への伝送を制御する第２の伝送制御ステップと
を実行させる
ことを特徴とするプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、情報処理システム、並びに記録媒体に関し、特に、不正装置によるデータの不正コピーを防止することができるようにした、情報処理装置および方法、情報処理システム、並びに記録媒体に関する。
【手続補正４】
【補正対象書類名】明細書
【補正対象項目名】００７０
【補正方法】変更
【補正の内容】
【００７０】
【課題を解決するための手段】
請求項１に記載の情報処理装置は、伝送路を介して暗号化データの送信を要求する他の情報処理装置の認証を行い、他の情報処理装置の識別番号である第１の識別番号を取得する認証手段と、認証手段による認証が成功した他の情報処理装置の第１の識別番号を識別番号テーブルとして記憶する記憶手段と、他の情報処理装置を含むデータ送受信装置のうちの、秘密裡に保管しておくべき情報である第１の情報が露呈されたデータ送受信装置の識別番号である第２の識別番号が記された第１のリストを受信する受信手段と、受信手段により受信された第１のリストに記されている第２の識別番号と、記憶手段により記憶された識別番号テーブル中の第１の識別番号とを比較する比較手段と、比較手段による比較結果に対応して、暗号化データを、伝送路を介して他の情報処理装置に伝送する伝送手段とを備え、比較手段による比較の結果、第１のリスト中の第２の識別番号と合致する第１の識別番号が識別番号テーブルに存在した場合、第２の識別番号と合致する第１の識別番号に関する情報である第２の情報を記憶手段に記憶し、第２の情報を、伝送路を介して他の情報処理装置に伝送することを特徴とする。
【手続補正５】
【補正対象書類名】明細書
【補正対象項目名】００７１
【補正方法】削除
【補正の内容】
【手続補正６】
【補正対象書類名】明細書
【補正対象項目名】００７２
【補正方法】削除
【補正の内容】
【手続補正７】
【補正対象書類名】明細書
【補正対象項目名】００７３
【補正方法】削除
【補正の内容】
【手続補正８】
【補正対象書類名】明細書
【補正対象項目名】００７４
【補正方法】変更
【補正の内容】
【００７４】
請求項９に記載の情報処理方法は、伝送路を介して暗号化データの送信を要求する他の情報処理装置の認証を行い、他の情報処理装置の識別番号である第１の識別番号を取得する認証ステップと、認証ステップの処理による認証が成功した他の情報処理装置の第１の識別番号を識別番号テーブルとして記憶する第１の記憶ステップと、他の情報処理装置を含むデータ送受信装置のうちの、秘密裡に保管しておくべき情報である第１の情報が露呈されたデータ送受信装置の識別番号である第２の識別番号が記されたリストを受信する受信ステップと、受信ステップの処理により受信されたリストに記されている第２の識別番号と、第１の記憶ステップの処理により記憶された識別番号テーブル中の第１の識別番号とを比較する比較ステップと、比較ステップの処理による比較結果に対応して、暗号化データを、伝送路を介して他の情報処理装置に伝送する第１の伝送ステップと、比較ステップの処理による比較の結果、リスト中の第２の識別番号と合致する第１の識別番号が識別番号テーブルに存在した場合、第２の識別番号と合致する第１の識別番号に関する情報である第２の情報を記憶する第２の記憶ステップと、第２の情報を、伝送路を介して他の情報処理装置に伝送する第２の伝送ステップとを含むことを特徴とする。
【手続補正９】
【補正対象書類名】明細書
【補正対象項目名】００７５
【補正方法】変更
【補正の内容】
【００７５】
請求項１０に記載の記録媒体のプログラムは、伝送路を介して暗号化データの送信を要求する他の情報処理装置の認証を行い、他の情報処理装置の識別番号である第１の識別番号を取得する認証ステップと、認証ステップの処理による認証が成功した他の情報処理装置の第１の識別番号の識別番号テーブルとしての記憶を制御する第１の記憶制御ステップと、他の情報処理装置を含むデータ送受信装置のうちの、秘密裡に保管しておくべき情報である第１の情報が露呈されたデータ送受信装置の識別番号である第２の識別番号が記されたリストの受信を制御する受信制御ステップと、受信制御ステップの処理により受信が制御されたリストに記されている第２の識別番号と、第１の記憶制御ステップの処理により記憶が制御された識別番号テーブル中の第１の識別番号とを比較する比較ステップと、比較ステップの処理による比較結果に対応して、暗号化データの、伝送路を介する他の情報処理装置への伝送を制御する第１の伝送制御ステップと、比較ステップの処理による比較の結果、リスト中の第２の識別番号と合致する第１の識別番号が識別番号テーブルに存在した場合、第２の識別番号と合致する第１の識別番号に関する情報である第２の情報の記憶を制御する第２の記憶制御ステップと、第２の情報の、伝送路を介する他の情報処理装置への伝送を制御する第２の伝送制御ステップとを含むことを特徴とする。
【手続補正１０】
【補正対象書類名】明細書
【補正対象項目名】００７６
【補正方法】変更
【補正の内容】
【００７６】
請求項１１に記載の情報処理システムは、第１の情報処理装置が、秘密裡にしておくべき情報である第１の情報が露呈された情報処理装置の識別番号である第１の識別番号を示したリストを作成する作成手段と、作成手段により作成されたリストを第２の情報処理装置に提供する提供手段とを備え、第２の情報処理装置が、所定の伝送路を介して暗号化データの送信を要求する第３の情報処理装置の認証を行い、第３の情報処理装置の識別番号である第２の識別番号を取得する認証手段と、認証手段による認証が成功した第３の情報処理装置の第２の識別番号を識別番号テーブルとして記憶する記憶手段と、第１の情報処理装置の提供手段により提供されたリストを受信する受信手段と、受信手段により受信されたリストに示されている第１の識別番号と、記憶手段により記憶された識別番号テーブル中の第２の識別番号とを比較する比較手段と、比較手段による比較結果に対応して、暗号化データを、伝送路を介して第３の情報処理装置に伝送する伝送手段とを備え、比較手段による比較の結果、リスト中の第１の識別番号と合致する第２の識別番号が識別番号テーブルに存在した場合、第１の識別番号と合致する第２の識別番号に関する情報である第２の情報を記憶手段に記憶し、第２の情報を、伝送路を介して第３の情報処理装置に伝送することを特徴とする。
【手続補正１１】
【補正対象書類名】明細書
【補正対象項目名】００７７
【補正方法】変更
【補正の内容】
【００７７】
請求項１２に記載の情報処理方法は、第１の情報処理装置による情報処理方法が、秘密裡にしておくべき情報である第１の情報が露呈された情報処理装置の識別番号である第１の識別番号を示したリストを作成する作成ステップと、作成ステップの処理により作成されたリストを第２の情報処理装置に提供する提供ステップとを含み、第２の情報処理装置による情報処理方法が、所定の伝送路を介して暗号化データの送信を要求する第３の情報処理装置の認証を行い、第３の情報処理装置の識別番号である第２の識別番号を取得する認証ステップと、認証ステップの処理による認証が成功した第３の情報処理装置の第２の識別番号を識別番号テーブルとして記憶する第１の記憶ステップと、第１の情報処理装置の提供ステップの処理により提供されたリストを受信する受信ステップと、受信ステップの処理により受信されたリストに示されている第１の識別番号と、第１の記憶ステップの処理により記憶された識別番号テーブル中の第２の識別番号とを比較する比較ステップと、比較ステップの処理による比較結果に対応して、暗号化データを、伝送路を介して第３の情報処理装置に伝送する第１の伝送ステップと、比較ステップの処理による比較の結果、リスト中の第１の識別番号と合致する第２の識別番号が識別番号テーブルに存在した場合、第１の識別番号と合致する第２の識別番号に関する情報である第２の情報を記憶する第２の記憶ステップと、第２の情報を、伝送路を介して第３の情報処理装置に伝送する第２の伝送ステップとを含むことを特徴とする。
【手続補正１２】
【補正対象書類名】明細書
【補正対象項目名】００７８
【補正方法】変更
【補正の内容】
【００７８】
請求項１３に記載の記録媒体のプログラムは、第１の情報処理装置のコンピュータに、秘密裡にしておくべき情報である第１の情報が露呈された情報処理装置の識別番号である第１の識別番号を示したリストを作成する作成ステップと、作成ステップの処理により作成されたリストを第２の情報処理装置に提供する提供ステップとを実行させ、第２の情報処理装置のコンピュータに、所定の伝送路を介して暗号化データの送信を要求する第３の情報処理装置の認証を行い、第３の情報処理装置の識別番号である第２の識別番号を取得する認証ステップと、認証ステップの処理による認証が成功した第３の情報処理装置の第２の識別番号を識別番号テーブルとしての記憶を制御する第１の記憶制御ステップと、第１の情報処理装置の提供ステップの処理により提供されたリストの受信を制御する受信制御ステップと、受信制御ステップの処理により受信が制御されたリストに示されている第１の識別番号と、第１の記憶制御ステップの処理により記憶が制御された識別番号テーブル中の第２の識別番号とを比較する比較ステップと、比較ステップの処理による比較結果に対応して、暗号化データの、伝送路を介する第３の情報処理装置への伝送を制御する第１の伝送制御ステップと、比較ステップの処理による比較の結果、リスト中の第１の識別番号と合致する第２の識別番号が識別番号テーブルに存在した場合、第１の識別番号と合致する第２の識別番号に関する情報である第２の情報の記憶を制御する第２の記憶制御ステップと、第２の情報の、伝送路を介する第３の情報処理装置への伝送を制御する第２の伝送制御ステップとを実行させることを特徴とする。
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】変更
【補正の内容】
【００８０】
請求項１に記載の情報処理装置、請求項９に記載の情報処理方法、および請求項１０に記載の記録媒体のプログラムにおいては、伝送路を介して暗号化データの送信を要求する他の情報処理装置の認証を行い、他の情報処理装置の識別番号である第１の識別番号が取得され、認証が成功した他の情報処理装置の第１の識別番号が識別番号テーブルとして記憶され、他の情報処理装置を含むデータ送受信装置のうちの、秘密裡に保管しておくべき情報である第１の情報が露呈されたデータ送受信装置の識別番号である第２の識別番号が記されたリストが受信され、受信されたリストに記されている第２の識別番号と、識別番号テーブル中の第１の識別番号とが比較され、比較結果に対応して、暗号化データが、伝送路を介して他の情報処理装置に伝送され、その比較の結果、リスト中の第２の識別番号と合致する第１の識別番号が識別番号テーブルに存在した場合、第２の識別番号と合致する第１の識別番号に関する情報である第２の情報が記憶され、第２の情報が、伝送路を介して他の情報処理装置に伝送される。
【手続補正１５】
【補正対象書類名】明細書
【補正対象項目名】００８１
【補正方法】変更
【補正の内容】
【００８１】
請求項１１に記載の情報処理システム、請求項１２に記載の情報処理方法、および請求項１３に記載の記録媒体のプログラムにおいては、第１の情報処理装置において、秘密裡にしておくべき情報である第１の情報が露呈された情報処理装置の識別番号である第１の識別番号を示したリストが作成され、作成されたリストが第２の情報処理装置に提供され、第２の情報処理装置において、所定の伝送路を介して暗号化データの送信を要求する第３の情報処理装置の認証を行い、第３の情報処理装置の識別番号である第２の識別番号が取得され、認証が成功した第３の情報処理装置の第２の識別番号が識別番号テーブルとして記憶され、第１の情報処理装置から提供されたリストが受信され、受信されたリストに示されている第１の識別番号と、識別番号テーブル中の第２の識別番号とが比較され、その比較結果に対応して、暗号化データが、伝送路を介して第３の情報処理装置に伝送され、その比較の結果、リスト中の第１の識別番号と合致する第２の識別番号が識別番号テーブルに存在した場合、第１の識別番号と合致する第２の識別番号に関する情報である第２の情報が記憶され、第２の情報が、伝送路を介して第３の情報処理装置に伝送される。
【手続補正１６】
【補正対象書類名】明細書
【補正対象項目名】００８３
【補正方法】削除
【補正の内容】
【手続補正１７】
【補正対象書類名】明細書
【補正対象項目名】００８４
【補正方法】削除
【補正の内容】
【手続補正１８】
【補正対象書類名】明細書
【補正対象項目名】００８５
【補正方法】変更
【補正の内容】
【００８５】
請求項１に記載の情報処理装置は、伝送路を介して暗号化データの送信を要求する他の情報処理装置の認証を行い、他の情報処理装置の識別番号である第１の識別番号を取得する認証手段（例えば、図７のステップＳ３０１）と、認証手段による認証が成功した他の情報処理装置の第１の識別番号を識別番号テーブルとして記憶する記憶手段（例えば、図１のEEPROM１３４）と、他の情報処理装置を含むデータ送受信装置のうちの、秘密裡に保管しておくべき情報である第１の情報が露呈されたデータ送受信装置の識別番号である第２の識別番号が記された第１のリストを受信する受信手段（例えば、図１のチューナ１３２）と、受信手段により受信された第１のリストに記されている第２の識別番号と、記憶手段により記憶された識別番号テーブル中の第１の識別番号とを比較する比較手段（例えば、図５のステップＳ２０７の処理を実行するCPU１３３）と、比較手段による比較結果に対応して、暗号化データを、伝送路を介して他の情報処理装置に伝送する伝送手段（例えば、図１の1394インタフェース１３８）とを備え、比較手段による比較の結果、第１のリスト中の第２の識別番号と合致する第１の識別番号が識別番号テーブルに存在した場合、第２の識別番号と合致する第１の識別番号に関する情報である第２の情報を記憶手段に記憶し、第２の情報を、伝送路を介して他の情報処理装置に伝送することを特徴とする。
【手続補正１９】
【補正対象書類名】明細書
【補正対象項目名】００８６
【補正方法】変更
【補正の内容】
【００８６】
請求項３に記載の情報処理装置は、第１のリストには、第１のリストを作成した装置の署名が与えられており、第１のリストに付加されている署名を用いて、第１のリストが正規のものであるか否かを検証する検証手段（例えば、図５のステップＳ２０５の処理を実行するCPU１３３）をさらに備えることを特徴とする。
【手続補正２０】
【補正対象書類名】明細書
【補正対象項目名】００８７
【補正方法】変更
【補正の内容】
【００８７】
請求項４に記載の情報処理装置は、比較手段による比較の結果、第１のリスト中の第２の識別番号と合致する第１の識別番号が識別番号テーブル中に存在した場合、識別番号テーブル中の、第２の識別番号と合致する第１の識別番号にフラグを付加する付加手段（例えば、図５のステップＳ２０９の処理を実行するCPU１３３）をさらに備え、付加手段により付加されたフラグを、第２の情報として記憶手段に記憶することを特徴とする。
【手続補正２１】
【補正対象書類名】明細書
【補正対象項目名】０１２８
【補正方法】変更
【補正の内容】
【０１２８】
【発明の効果】
以上の如く、請求項１に記載の情報処理装置、請求項９に記載の情報処理方法、および請求項１０に記載の記録媒体のプログラムによれば、伝送路を介して暗号化データの送信を要求する他の情報処理装置の認証を行い、他の情報処理装置の識別番号である第１の識別番号を取得し、認証が成功した他の情報処理装置の第１の識別番号を識別番号テーブルとして記憶し、他の情報処理装置を含むデータ送受信装置のうちの、秘密裡に保管しておくべき情報である第１の情報が露呈されたデータ送受信装置の識別番号である第２の識別番号が記された第１のリストを受信し、受信された第１のリストに記されている第２の識別番号と、記憶された識別番号テーブル中の第１の識別番号とを比較し、その比較結果に対応して、暗号化データを、伝送路を介して他の情報処理装置に伝送し、その比較の結果、第１のリスト中の第２の識別番号と合致する第１の識別番号が識別番号テーブルに存在した場合、第２の識別番号と合致する第１の識別番号に関する情報である第２の情報を記憶し、第２の情報を、伝送路を介して他の情報処理装置に伝送するようにしたので、秘密裡に保管しておくべき情報が露呈した装置のdevice_IDを、他の装置に知らせることができる。また、秘密裡に保管しておくべき情報が露呈した装置に対して、データの伝送を行わないようにすることができる。
【手続補正２２】
【補正対象書類名】明細書
【補正対象項目名】０１２９
【補正方法】削除
【補正の内容】
【手続補正２３】
【補正対象書類名】明細書
【補正対象項目名】０１３０
【補正方法】変更
【補正の内容】
【０１３０】
請求項１１に記載の情報処理システム、請求項１２に記載の情報処理方法、および請求項１３に記載の記録媒体のプログラムによれば、第１の情報処理装置は、秘密裡にしておくべき情報である第１の情報が露呈された情報処理装置の識別番号である第１の識別番号を示したリストを作成し、作成されたリストを第２の情報処理装置に提供し、第２の情報処理装置は、所定の伝送路を介して暗号化データの送信を要求する第３の情報処理装置の認証を行い、第３の情報処理装置の識別番号である第２の識別番号を取得し、認証が成功した第３の情報処理装置の第２の識別番号を識別番号テーブルとして記憶し、第１の情報処理装置から提供されたリストを受信し、受信されたリストに示されている第１の識別番号と、記憶された識別番号テーブル中の第２の識別番号とを比較し、その比較結果に対応して、暗号化データを、伝送路を介して第３の情報処理装置に伝送し、その比較の結果、リスト中の第１の識別番号と合致する第２の識別番号が識別番号テーブルに存在した場合、第１の識別番号と合致する第２の識別番号に関する情報である第２の情報を記憶し、第２の情報を、伝送路を介して第３の情報処理装置に伝送するようにしたので、秘密裡に保管しておくべき情報が露呈した装置に対してデータの伝送を行わないようにし、より安全性を図ることができる。